(57)【要約】【課題】立水栓を、簡単、迅速、低コストでおしゃれに変身、装飾できるようにする。【解決手段】水道管１を地面から立ち上げ、この水道管１の立ち上げ部１ａの上端に蛇口２が接続されている立水栓３の、上記水道管１の立ち上げ部１ａを覆うための化粧部材である。立ち上げ部１ａを収納する空間部４を上下方向に貫通状に有する積み上げ用の複数の化粧ブロック５と、この化粧ブロック５の最上端に積む天頂ブロック６とで形成する。蛇口２に対応する位置の化粧ブロック５には、蛇口２を水道管１の立ち上げ部１ａの上端と接続するための横孔８を、前面から空間部４にわたって貫通する。【選択図】      図１
2007063898.tif 000002
【特許請求の範囲】
【請求項１】
水道管を地面から立ち上げ、この水道管の立ち上げ部の上端に蛇口が接続されている立水栓の、上記水道管の立ち上げ部を覆うための化粧部材であって、上記の立ち上げ部を収納する空間部を上下方向に貫通状に有する積み上げ用の複数の化粧ブロックと、この化粧ブロックの最上端に積まれる天頂ブロックとで形成され、上記の蛇口に対応する位置の化粧ブロックは蛇口を水道管の立ち上げ部の上端と接続するための横孔が前面から空間部にわたって貫通されていることを特徴とする立水栓の化粧部材。
【請求項２】
請求項１記載の立水栓の化粧部材であって、空間部が、化粧ブロックの背面から平面視で凹溝状に切り欠かれて形成されていることを特徴とする立水栓の化粧部材。
【請求項３】
請求項１又は２記載の立水栓の化粧部材であって、天頂ブロックの上面の周縁部が立ち上げられて畦状に形成されると共に、この周縁部の適宜位置に、上面の水を天頂ブロックの側面を伝わらせて排水するための排水溝が形成されていることを特徴とする立水栓の化粧部材。
【請求項４】
請求項１乃至３の何れかに記載の立水栓の化粧部材であって、化粧ブロック同士、及び最上端の化粧ブロックと天頂ブロックとが嵌合自在に形成されていることを特徴とする立水栓の化粧部材。
【発明の詳細な説明】
【技術分野】
【０００１】
本発明は立水栓の化粧部材に関し、更に詳しくは立水栓を素人でも簡単且つ迅速に、しかもおしゃれに変身できるよう形成した立水栓の化粧部材に関するものである。
【背景技術】
【０００２】
従来、積み重ねを容易にしたブロックとしては、例えば略直方体形状のブロックの上面に嵌合凸部を、下面に嵌合凹部を形成し、この嵌合凸部と嵌合凹部とを嵌合させて積み重ねが可能になるよう形成したものが知られている（例えば特許文献１参照）。
【０００３】
ところで従来、庭等の屋外に設置される立水栓（水道管を地面から立ち上げ、この水道管の立ち上げ部の上端に蛇口を接続したものを言う）は、水道管の立ち上げ部を外気温等から保護するため、立ち上げ部をカバーで覆うことが行なわれている。
しかし従来のこの種のカバーは、樹脂や金属の板材等で、地面から上端までを連続した状態で、上下方向の全長にわたって同じ調子に形成されているのが通例であった。従って従来品の場合は、単調で装飾性に欠けたから、従来品によると、立水栓によって庭の雰囲気や景観が損なわれる場合があった。
【特許文献１】特開２００２−１１９１３５号公報
【発明の開示】
【発明が解決しようとする課題】
【０００４】
本発明は、このような従来の実情に鑑み、提案されたものである。
従って本発明の解決しようとする技術的課題は、立水栓を、簡単、迅速、低コストでおしゃれに変身、装飾できるよう形成した立水栓の化粧部材を提供することにある。
【課題を解決するための手段】
【０００５】
本発明は、上記の課題を解決するため、次のような技術的手段を採る。
即ち本発明は、図１等に示されるように、水道管１を地面から立ち上げ、この水道管１の立ち上げ部１ａの上端に蛇口２が接続されている立水栓３の、上記水道管１の立ち上げ部１ａを覆うための化粧部材であって、上記の立ち上げ部１ａを収納する空間部４を上下方向に貫通状に有する積み上げ用の複数の化粧ブロック５と、この化粧ブロック５の最上端に積まれる天頂ブロック６とで形成され、上記の蛇口２に対応する位置の化粧ブロック５は蛇口２を水道管１の立ち上げ部１ａの上端と接続するための横孔８が前面から空間部４にわたって貫通されていることを特徴とする（請求項１）。
【０００６】
本発明の場合、化粧ブロック５は、通常、１本の角柱状や、円柱状になるよう、同じ形状、同じ大きさに形成されるのが好ましいが、これに限定されるものではない。即ち、本発明の化粧ブロック５は、積み上げ形状が、段差状や、円錐形、角錐形を呈するよう形成されるのでも良い。また化粧ブロック５は、形状に止まらず、積み上げ形態のデザインを多種多様化できるよう、材質や色彩等を違えて形成されるのが良い。本発明は、化粧ブロック５を複数備え、この複数の化粧ブロック５と、天頂ブロック６とで形成されているため、装飾性を発揮できるものである。また本発明の場合、立ち上げ部１ａを収納する空間部４は、立ち上げ部１ａがカバー７で覆われている場合はカバー７に被せることができる大きさに形成される。また化粧ブロック５は、空間部４に断熱材が設けられ、保温性（断熱性）を有するよう形成されているのでも良い。
【０００７】
又本発明の立水栓３の化粧部材は、空間部４が、化粧ブロック５の背面から平面視で凹溝状に切り欠かれて形成されているのが好ましい（請求項２）。
本発明の場合、空間部４は上下方向に貫通する孔状に形成されるのでも良いが、この請求項２に係る本発明のように形成される場合は、水道管１の立ち上げ部１ａに、前方等の側方から化粧ブロック５を立ち上げ部１ａに嵌合させて積み上げることができ、積み上げ作業を容易化できるからである。
【０００８】
又本発明は、天頂ブロック６の上面の周縁部６ａが立ち上げられて畦状に形成されると共に、この周縁部６ａの適宜位置に、上面の水を天頂ブロック６の側面を伝わらせて排水するための排水溝６ｂが形成されているのが好ましい（請求項３）。
なぜならこれによると、天頂ブロック６に、例えば鉢植え植物を載置したとき、鉢が横滑りしても周縁部６ａでその落下を防止でき、また遣り水時に水がこぼれても、こぼれた水を排水溝６ｂを経て確実に排水できるからである。
【０００９】
又本発明の場合は、化粧ブロック５同士、及び最上端の化粧ブロック５と天頂ブロック６とが嵌合自在に形成されているのが好ましい（請求項４）。
本発明は、例えば接着剤９だけで積み上げて行くのでも良いが、この請求項４に係る本発明の場合は、各ブロックを嵌合して積み上げることができ、積み上げ状態を堅固にできるからである。またこれによると、化粧ブロック５や天頂ブロック６の位置決めが容易になり、積み上げ作業が楽になるからである。
【発明の効果】
【００１０】
本発明は、このように水道管の立ち上げ部を収納する空間部を上下方向に貫通状に有する積み上げ用の複数の化粧ブロックと、この化粧ブロックの最上端に積む天頂ブロックとで形成し、蛇口に対応する位置の化粧ブロックには、蛇口を水道管の立ち上げ部の上端と接続するための横孔を、前面から空間部にわたって貫通状に形成しているものである。
従って本発明は、化粧ブロックを水道管の立ち上げ部を覆うよう、立ち上げ部に被せて積み上げ、最上端の化粧ブロックに天頂ブロックを積むことで、水道管の立ち上げ部を、多種多様なデザインの化粧ブロックで覆うことができる。それ故これによると、簡単、迅速、低コストで、立水栓をおしゃれに変身、装飾できる。
【発明を実施するための最良の形態】
【００１１】
以下、本発明を実施するための最良の形態を説明する。
図１等において、１は地面から立ち上げられている水道管である。この水道管１の立ち上げ部１ａの上端に蛇口２が接続されることにより、立水栓３が形成されている。本発明は、この立水栓３の、上記水道管１の立ち上げ部１ａを覆うための化粧部材である。本発明品は、上記の立ち上げ部１ａを収納する空間部４を上下方向に貫通状に有する積み上げ用の複数の化粧ブロック５と、この化粧ブロック５の最上端に積まれる天頂ブロック６とで形成されている。
【００１２】
上記の化粧ブロック５は、この実施形態では、積み上げ形態が角柱状になるよう、図２等に示されるように、平面視でコの字形に形成され、空間部４は化粧ブロック５の背面から平面視で凹溝状に切り欠かれている。この場合、水道管１の立ち上げ部１ａは、この実施形態では横断面四角形のカバー７（図４、図５等参照）で覆われている。従って空間部４は、このカバー７に被せて外装できる大きさに形成されている。また化粧ブロック５は、この実施形態では花崗岩（御影石）調に形成されると共に、積層時にツートーンカラーになるよう、濃淡２色の色違い状に形成されている。また化粧ブロック５は、上面に嵌合用の凸部５ａが、下面にこの凸部５ａと嵌合する嵌合用の凹部５ｂが、夫々左右一対状に形成され、化粧ブロック５同士を嵌合させて積み上げが可能になるよう形成されている。化粧ブロック５の内、蛇口２に対応する位置の化粧ブロック５は、蛇口２を水道管１の立ち上げ部１ａの上端と接続するための横孔８が、前面から空間部４にわたって貫通されている。
【００１３】
また上記の天頂ブロック６は、図３等に示されるように、上面の周縁部６ａが立ち上げられて畦状に形成されると共に、この実施形態では周縁部６ａの後側の中央位置に、上面の水を天頂ブロック６の後側の側面を伝わらせて排水するための排水溝６ｂが形成されている。また天頂ブロック６の下面には、最上端の化粧ブロック５である、蛇口２に対応する位置の化粧ブロック５の上面に形成されている嵌合用の凸部５ａと嵌合する嵌合用の雌部６ｃが左右一対状に形成されている。天頂ブロック６は、これにより最上端の化粧ブロック５に嵌合されて積み上げられる。
【００１４】
次に本発明の施工例を、図４〜図７等に従って説明する。
先ず作業者は、既設の立水栓３に、その保護カバー７に被せて１段目の化粧ブロック５を、前方から嵌め入れてセットする。次に２段目の化粧ブロック５を同様に嵌め付け、嵌合用の凸部５ａと凹部５ｂを嵌合させ、順次、積み上げて行く。この場合、作業者は、２段目の化粧ブロック５からは、コンクリート用接着剤９を、接合面や凸部５ａと凹部５ｂの箇所に塗布し、色調が異なる２色の化粧ブロック５を交互に積み重ねて行く。
【００１５】
そして作業者は、蛇口２に対応する位置の化粧ブロック５の横孔８に、立ち上げ部１ａの上端のエルボ１０（図６参照）の先を通し、エルボ１０に蛇口２を接続する。また最上端の化粧ブロック５（この実施形態では蛇口２に対応する位置の化粧ブロック５）の上面の嵌合用の凸部５ａに、天頂ブロック６の下面の嵌合用の雌部６ｃを嵌合させ、天頂ブロック６を最上端の化粧ブロック５に積み重ねて接着剤９で固定する。これにより、図１に示されるように、立水栓３の立ち上げ部１ａが本発明品で覆われ、化粧仕上げされる。
【００１６】
以上の処において、本発明は、例えば図８〜図１４に示されるように、積み上げ形態が円柱状（丸柱状）に構成されるよう、化粧ブロック５が、平面視で円形に形成されるのでも良い。
この実施形態では化粧ブロック５に合わせて天頂ブロック６も、円形に形成されている。嵌合用の凸部５ａ、凹部５ｂ、空間部４の構成、積み上げ作業等は、上例と同様である。
【００１７】
本発明の場合、化粧ブロック５や天頂ブロック６の形状、模様、材質、大きさ等は、上記の通り、任意であり、適宜選定されるので良い。また化粧ブロック５は、上記の空間部４が上下方向に貫通する孔状に形成され、化粧ブロック５を水道管１の立ち上げ部１ａに上から嵌め挿して積み上げることが可能になるよう形成されるのでも良い。また本発明は、嵌合用の凸部５ａ、凹部５ｂが上例のような突起状に形成されるのに代え、段差状に形成されるのでも良い。
【図面の簡単な説明】
【００１８】
【図１】本発明の化粧部材の好適な一実施形態を示し、Ａは完成時の斜視図、Ｂは要部正面図、Ｃは蛇口に対応する位置の化粧ブロックの平面図、Ｄは同化粧ブロックの正面図である。
【図２】化粧ブロックを示し、Ａは平面図、ＢはＡのＢ−Ｂ線断面図である。
【図３】天頂ブロックを示し、Ａは平面図、Ｂは正面図である。
【図４】同上化粧部材の積み上げ例を示す要部正面図である。
【図５】同上化粧部材の積み上げ例を示す要部斜視図である。
【図６】同上化粧部材の積み上げ例を示す要部斜視図である。
【図７】積み上げた完成時の同上化粧部材の要部正面図である。
【図８】同上化粧部材の他の実施形態を示す完成時の斜視図である。
【図９】図８に係る本発明品の化粧ブロックを示し、Ａは平面図、Ｂは正面図である。
【図１０】図８に係る本発明品の蛇口に対応する位置の化粧ブロックを示し、Ａは平面図、Ｂは正面図である。
【図１１】図８に係る本発明品の天頂ブロックを示し、Ａは平面図、Ｂは正面図である。
【図１２】図８に係る本発明品の積み上げ例を示す要部斜視図である。
【図１３】図８に係る本発明品の積み上げ例を示す要部斜視図である。
【図１４】図８に係る本発明品の積み上げた完成時の要部正面図である。
【符号の説明】
【００１９】
１      水道管
１ａ    立ち上げ部
２      蛇口
３      立水栓
４      空間部
５      化粧ブロック
６      天頂ブロック
８      横孔
【図１】
2007063898.tif 000003
【図２】
2007063898.tif 000004
【図３】
2007063898.tif 000005
【図４】
2007063898.tif 000006
【図５】
2007063898.tif 000007
【図６】
2007063898.tif 000008
【図７】
2007063898.tif 000009
【図８】
2007063898.tif 000010
【図９】
2007063898.tif 000011
【図１０】
2007063898.tif 000012
【図１１】
2007063898.tif 000013
【図１２】
2007063898.tif 000014
【図１３】
2007063898.tif 000015
【図１４】
2007063898.tif 000016